(57)【要約】【課題】  ビデオカメラで撮影した画像を記録再生可能なカメラ一体型ＶＴＲでＴＶ電話機能を提供するシステムにおいて、特に画像表示装置への表示方法を改善して情報伝達をしやすくすることと、画像伝送を効率よく行うことを目的とする。【解決手段】  カメラ一体型ＶＴＲを用いたＴＶ電話システムにおいて、画像の受信側がどのようなエリアを表示しているかの情報を、画像の送信側に伝え、画像の送信側は、画像の受信側からどのようなエリアを表示しているかの情報を受け取り、そのエリアに応じた画像領域だけを伝送するかまたは、そのサイズに応じた画像領域以外のデータ容量を他より少なくして伝送する。【選択図】  図１
2006246160.tif 000002
【特許請求の範囲】
【請求項１】
ビデオカメラで撮影した画像を記録再生可能なカメラ一体型ＶＴＲにおいて、
ビデオカメラで撮影している画像やＶＴＲの画像を表示する画像表示装置を被写体側からも見ることを可能とした画像表示手段と、
インターネット等に接続し、ＴＶ電話の機能（相互に相手から送られた画像を見ながら会話をする機能）を前記ビデオカメラと前記画像表示装置から実現する手段と、
画像の受信側が、受信画像データのどの部分を表示しているかのエリア情報を、画像の送信側に伝える手段と、
画像の送信側が、前記エリア情報を受け取る手段と、
画像の送信側が、受け取った前記エリア情報をもとに、画像の受信側が表示している画像領域だけを伝送するかまたは、その画像領域以外のデータ容量を他より少なくして伝送する手段と、
画像の送信側が、受け取った前記エリア情報をもとに、画像の受信側が表示している画像領域が判別できる情報を送信者側の前記画像表示装置に表示する手段と
を有することを特徴とするカメラ一体型ＶＴＲ。
【請求項２】
請求項１において、ＶＴＲの再生画像を相手に送信する手段と、
ＶＴＲの再生画像を送信しているＶＴＲが、ＶＴＲの再生画像受信側の操作キーにより制御できることを特徴とするカメラ一体型ＶＴＲ。
【請求項３】
請求項１において、ビデオカメラを横向きにして（カメラを被写体へ向けたまま左または右に９０度回転する）設置する場合に、
ビデオカメラで撮影した画像を右または左に９０度回転して画像を送信する手段と、
受信した画像を右または左に９０度回転して前記画像表示装置に表示する手段と
を有することを特徴とするカメラ一体型ＶＴＲ。
【請求項４】
請求項３において、ＶＴＲの再生画像を送信側の前記画像表示装置に表示する場合、右または左に９０度回転して画像を表示することを特徴とするカメラ一体型ＶＴＲ。
【発明の詳細な説明】
【技術分野】
【０００１】
本発明は、ビデオカメラで撮影した画像を記録再生可能なカメラ一体型ＶＴＲでＴＶ電話機能を提供するシステム、特に画像表示装置への表示方法、画像伝送方法に関する。
【背景技術】
【０００２】
お互いに画像を伝送しながら会話を行うＴＶ電話システムが考えられている。パソコンにカメラを接続（または内蔵）しインターネット経由や電話回線経由で、離れたパソコンと画像を伝送しながらＴＶ電話として通話する方法も考えられている。カメラ一体型ＶＴＲをインターネット等に接続し、ＴＶ電話の機能を実現することも考えられる。
【０００３】
又、従来例としては、例えば特許文献１と特許文献２をあげることが出来る。
【特許文献１】特開平６−４６４１３号公報
【特許文献２】特開平７−２２６９２７号公報
【発明の開示】
【発明が解決しようとする課題】
【０００４】
しかしながら上記従来システム、特にカメラ一体型ＶＴＲを用いたＴＶ電話システムにおいては、画像送信側が送信画像をモニタしている場合、そのモニタ画像と実際に画像受信側が見ている画像にケラレがあった場合、情報伝達がスムーズにいかないという問題があった。
【０００５】
画像送信側が送信したデータが、受信側がすべて表示していなかったり、受信側としては不要な情報であった場合はデータ伝送路を効率よく使用していないという問題があった。
【０００６】
カメラ一体型ＶＴＲの画像表示装置が小さいため、複数の画像情報を表示しようとすると、画像が見にくくなったり、表示する情報に無駄があったりして非効率であるという問題があった。
【課題を解決するための手段】
【０００７】
上記課題を解決するために本発明は、カメラ一体型ＶＴＲを用いたＴＶ電話システムにおいて、画像の受信側がどのようなエリアを表示しているかの情報を、画像の送信側に伝え、画像の送信側は、画像の受信側からどのようなエリアを表示しているかの情報を受け取り、そのエリアに応じた画像領域だけを伝送するかまたは、そのサイズに応じた画像領域以外のデータ容量を他より少なくして伝送する。また、画像の送信側は、画像の受信側からどのようなエリアで表示しているかの情報を受け取り、そのエリアに応じた画像領域を判別できるように画像の送信者側の前記画像表示装置に表示する。
【０００８】
カメラ一体型ＶＴＲを用いたＴＶ電話システムにおいて、ビデオカメラを横向きにして（カメラを被写体へ向けたまま左または右に９０度回転する）画像を効率よく表示する場合は、ビデオカメラで撮影した画像を右または左に９０度回転して画像を送信し、受信した画像を右または左に９０度回転して前記画像表示装置に表示する。また、ＶＴＲの再生画像を送信側の前記画像表示装置に表示する場合、右または左に９０度回転して画像を表示する。
【０００９】
ＶＴＲの再生画像を相手に送信する場合、ＶＴＲの再生画像を送信しているＶＴＲが、ＶＴＲの再生画像受信側の操作キーにより制御できると、より使いやすい。
【発明の効果】
【００１０】
以上説明したように本発明は、お互いに表示している画像エリア情報を教えあうため、情報伝達がスムーズに行える。また、必要のない画像データを伝送しない（または減らす）ため、データ伝送路を効率よく使用できる。
【００１１】
ビデオカメラを横向きにして設置できるため、画像表示装置が小さい場合にも、画像が見やすく、表示する情報に無駄がない。
【発明を実施するための最良の形態】
【００１２】
以下、本発明の実施の形態について実施例に基づいて説明する。
【実施例１】
【００１３】
図１は、第一の実施例を示す図である。以下、図１の構成を説明する。ただし、ＴＶ電話の機能の音声処理については省略する。１０１、１１１はカメラ一体型ＶＴＲであり、１０２、１１２はカメラ部、１０４、１１４はカメラ部で撮影している被写体、１０３、１１３はそれぞれの前記被写体より見ることが可能な画像表示部、１０６、１０８はインターネット接続手段、１０５、１０９は、前記カメラ一体型ＶＴＲと前記インターネット接続手段とを接続するケーブル、１０７はインターネットのデータ伝送手段である。図２（Ａ）は、図１  １０１カメラ一体型ＶＴＲの１０３表示部に表示されている画像を示していて、図２（Ｂ）は、図１  １１１カメラ一体型ＶＴＲの１１３表示部に表示されている画像を示している。
【００１４】
１０１カメラ一体型ＶＴＲは１０４被写体を撮影し、その画像データは１０５ケーブル、１０６インターネット接続手段、１０７データ伝送手段、１０８インターネット接続手段、１０９ケーブルを介して１１１カメラ一体型ＶＴＲに送られる。１１１カメラ一体型ＶＴＲでは、送られてきた前記画像データを、１１３画像表示部に表示する。同様に、１１１カメラ一体型ＶＴＲは１１４被写体を撮影し、その画像データは１０９ケーブル、１０８インターネット接続手段、１０７データ伝送手段、１０６インターネット接続手段、１０５ケーブルを介して１０１カメラ一体型ＶＴＲに送られる。１０１カメラ一体型ＶＴＲでは、送られてきた前期画像データを、１０３画像表示部に表示する。
【００１５】
１０１カメラ一体型ＶＴＲでは、１０４被写体がどのように撮影できているか確認するため、図２（Ａ）  ２０２および２０３の領域に、撮影画像を表示する。同様に１１１カメラ一体型ＶＴＲでは、１１４被写体がどのように撮影できているか確認するため、図２（Ｂ）  ２０５および２０６の領域に、撮影画像を表示する。
【００１６】
１０１カメラ一体型ＶＴＲでは、１１１カメラ一体型ＶＴＲからの画像のどのエリアが表示されているかの情報を１１１カメラ一体型ＶＴＲへ伝送する。本実施例では図２（Ａ）の２０１のエリアが表示されていることを伝送する。同様に、１１１カメラ一体型ＶＴＲでは、１０１カメラ一体型ＶＴＲからの画像のどのエリアが表示されているかの情報を１０１カメラ一体型ＶＴＲへ伝送する。本実施例では図２（Ｂ）の２０４のエリアが表示されていることを伝送する。
【００１７】
１０１カメラ一体型ＶＴＲでは、１１１カメラ一体型ＶＴＲからの前記エリア情報により、１１１カメラ一体型ＶＴＲに表示されていない画像エリアを図２（Ａ）の２０３の部分を黒などで表示して、１０４被写体に知らせる。同様に、１１１カメラ一体型ＶＴＲでは、１０１カメラ一体型ＶＴＲからの前記エリア情報により、１０１カメラ一体型ＶＴＲに表示されていない画像エリアを図２（Ｂ）の２０６の部分を黒などで表示して、１１４被写体に知らせる。
【００１８】
１０４被写体は、図２の２０３以外の２０２の領域に自分または撮影したいものが撮影されるようにすれば、情報の伝達がスムーズになる。同様に１１４被写体は、図２の２０６以外の２０５の領域に自分または撮影したいものが撮影されるようにすれば、情報の伝達がスムーズになる。
【００１９】
また、１０１カメラ一体型ＶＴＲから伝送する画像データにおいても、図２の２０３、２０２に表示されているように２０３の領域を黒などにした画像を送ることで、画像データ量を削減することが可能である。画像データを圧縮して送らない場合には、２０３の領域のデータを送らないようにすれば、画像データ量を削減することが可能である。１１１カメラ一体型ＶＴＲから伝送する画像データにおいても同様である。
【００２０】
図３は１０１、１１１はカメラ一体型ＶＴＲのブロック図であり、３１０はカメラ部で３１１を介して画像データを３１４画像処理部へ送り、３１４画像処理部でさまざまな処理がされ、３１６表示部へ画像を表示したり、３０８ＶＴＲ部へ画像を記録したりする。３１２制御部では、各ブロックの制御を行う。３０２Ｉ／Ｆ部では、外部装置とのデータのやり取りを行う。３０５ＶＴＲ操作部は３０８ＶＴＲ部の操作および３０１Ｉ／Ｆ部を介して外部のＶＴＲを操作する。３１６は３１４画像処理部で処理された画像を表示する。
【００２１】
上記実施例では、３１０カメラ部で撮影された画像は、３１３画像処理部で処理され、３０２Ｉ／Ｆ部を介して３０１へ出力される。３０１より得られた相手側に表示されたエリア情報は３０２Ｉ／Ｆ部を介して３１３画像処理部に送られ、３０１より得られた相手側の画像データを処理して図２のような表示が構成される。また、３０１より得られた相手側に表示されたエリア情報により、３０２Ｉ／Ｆ部を介して３０１へ出力される画像データは図２  ２０３のように３１３画像処理部で処理される。
【実施例２】
【００２２】
図４は、第２の実施例を示す図である。以下、図４の構成を説明する。ただし、ＴＶ電話の機能の音声処理については省略する。４０１、４１１はカメラ一体型ＶＴＲであり図のようにレンズ方向から見て左に９０度回転させて設置する。４０２、４１２はカメラ部、４０４、４１４はカメラ部で撮影している被写体、４０３、４１３はそれぞれの前記被写体より見ることが可能な画像表示部、４０６、４０８はインターネット接続手段、４０５、４０９は、前記カメラ一体型ＶＴＲと前記インターネット接続手段とを接続するケーブル、４０７はインターネットのデータ伝送手段である。図５（Ａ）は、図４  ４０１カメラ一体型ＶＴＲの４０３表示部に表示されている画像を示していて、図５（Ｂ）は、図４  ４１１カメラ一体型ＶＴＲの４１３表示部に表示されている画像を示している。
【００２３】
４０１カメラ一体型ＶＴＲは４０４被写体を撮影し、その画像データは４０５ケーブル、４０６インターネット接続手段、４０７データ伝送手段、４０８インターネット接続手段、４０９ケーブルを介して４１１カメラ一体型ＶＴＲに送られる。４１１カメラ一体型ＶＴＲでは、送られてきた前記画像データを、４１３画像表示部に表示する。そのとき画像を、右に９０度回転させて表示する。同様に、４１１カメラ一体型ＶＴＲは４１４被写体を撮影し、その画像データは４０９ケーブル、４０８インターネット接続手段、４０７データ伝送手段、４０６インターネット接続手段、４０５ケーブルを介して４０１カメラ一体型ＶＴＲに送られる。４０１カメラ一体型ＶＴＲでは、送られてきた前期画像データを、４０３画像表示部に表示する。そのとき画像を、右に９０度回転させて表示する。
【００２４】
４０１カメラ一体型ＶＴＲでは、４０４被写体がどのように撮影できているか確認するため、図５（Ａ）  ５０１の領域に、撮影画像を表示する。同様に４１１カメラ一体型ＶＴＲでは、４１４被写体がどのように撮影できているか確認するため、図５（Ｂ）  ５０３の領域に、撮影画像を表示する。
【００２５】
４０１カメラ一体型ＶＴＲでは、４１１カメラ一体型ＶＴＲからの画像のどのエリアが表示されているかの情報を４１１カメラ一体型ＶＴＲへ伝送する。本実施例では図５（Ａ）の５０２のエリアが表示されていることを伝送する。同様に、４１１カメラ一体型ＶＴＲでは、４０１カメラ一体型ＶＴＲからの画像のどのエリアが表示されているかの情報を４０１カメラ一体型ＶＴＲへ伝送する。本実施例では図５（Ｂ）の５０４のエリアが表示されていることを伝送する。
【００２６】
４０１カメラ一体型ＶＴＲでは、４１１カメラ一体型ＶＴＲからの前記エリア情報により、４１１カメラ一体型ＶＴＲに表示されていない画像エリアを黒などで表示して、４０４被写体に知らせる。同様に、４１１カメラ一体型ＶＴＲでは、４０１カメラ一体型ＶＴＲからの前記エリア情報により、４０１カメラ一体型ＶＴＲに表示されていない画像エリアを黒などで表示して、４１４被写体に知らせる。本実施例では、送信画像と受信画像のエリアが同じサイズのため、黒などで表示する部分はない。
【００２７】
４０４被写体は、図５の５０１の領域に自分または撮影したいものが撮影されるようにすれば、情報の伝達がスムーズになる。同様に４１４被写体は、図５の５０３の領域に自分または撮影したいものが撮影されるようにすれば、情報の伝達がスムーズになる。
【００２８】
図６は、図４  ４０１カメラ一体型ＶＴＲで撮影している画像である。このうち、図４  ４０３に表示される、図５（Ａ）の５０１の部分が、図６  ６０１である。図６  ６０１の画像は右へ９０度回転する処理をして相手側に伝送される。図６の６０２、６０３の領域を黒などにした画像を送ることで、画像データ量を削減することが可能である。画像データを圧縮して送らない場合には、この領域のデータを送らないようにすれば、画像データ量を削減することが可能である。図４  ４１１カメラ一体型ＶＴＲの動作についても同様である。
【図面の簡単な説明】
【００２９】
【図１】第一の実施例を説明する構成図
【図２】第一の実施例を説明する表示画面の図
【図３】第一の実施例を説明するブロック図
【図４】第二の実施例を説明する構成図
【図５】第二の実施例を説明する表示画面の図
【図６】第二の実施例を説明する撮影画像の図
【図１】
2006246160.tif 000003
【図２】
2006246160.tif 000004
【図３】
2006246160.tif 000005
【図４】
2006246160.tif 000006
【図５】
2006246160.tif 000007
【図６】
2006246160.tif 000008